(57)【要約】【課題】本発明の課題は、制御基板を交換しても交換前の保存情報が保持される印刷装置を提供することである。【解決手段】制御基板上に第一の書換え可能な不揮発性記憶手段を備えた印刷装置において、操作パネル上の第二の書換え可能な不揮発性記憶手段と、前記第一、第二の書換え可能な不揮発性記憶手段の記憶内容を比較し内容の相違を判断する手段と、記憶内容が相違した場合にどちらの記憶内容を有効とするかを選択する手段と、を設けたことを特徴とする。【選択図】　図１
2004082379.tif 000002
【特許請求の範囲】
【請求項１】
制御基板上に第一の書換え可能な不揮発性記憶手段を備えた印刷装置において、操作パネル上の第二の書換え可能な不揮発性記憶手段と、前記第一、第二の書換え可能な不揮発性記憶手段の記憶内容を比較し内容の相違を判断する手段と、記憶内容が相違した場合にどちらの記憶内容を有効とするかを選択する手段と、を設けたことを特徴とする印刷装置。
【請求項２】
操作パネル単体で前記第二の書換え可能な不揮発性記憶手段に格納されている保存情報を表示する手段を設けたことを特徴とする請求項１に記載の印刷装置。
【発明の詳細な説明】
【０００１】
【発明の属する技術分野】
本発明は、書換え可能な不揮発性記憶手段を有する印刷装置に関するものである。
【０００２】
【従来の技術】
図３は従来の印刷装置の概略構成図である。従来の印刷装置は、制御基板１０上にフラッシュメモリ１２などの書換え可能な不揮発性記憶手段を搭載し、ユーザが選択した設定値、工場出荷時に調整した補正値、エラーの履歴など（以下保存情報と称する）を格納していた。保存情報の内容を確認する方法としては、保存情報を操作パネル２０上のＬＣＤ表示器２３に表示するモードを用意し制御基板１０から保存情報を操作パネルに表示する方法、あるいは、保存情報を印刷するモードを用意し、用紙に印刷する方法がとられていた。また、最近の印刷装置では、保守上重要な印刷量の記録に高価なメカニカルカウンタを使用せず、保存情報としてカウント値を不揮発性メモリに格納しておき、必要に応じ操作パネルに表示させている。なお、図３において、１は印刷機構部、１１はマイコン、２１はワンチップマイコン、２３はＬＣＤ表示器を示す。
【０００３】
【発明が解決しようとする課題】
従来例で示したように、制御基板上の書換え可能な不揮発性記憶手段に保存情報を格納した場合、修理のため制御基板を交換すると、保存情報が失われてしまう問題があった。ユーザが選択可能な設定項目は多岐に渡り、基板を交換した後にこれらの設定項目を再設定するのには手間がかかる。また、印刷機構部が故障して印刷できない場合や、制御基板が故障して操作パネルに表示できない場合には、保存情報を確認することができない。
【０００４】
本発明の目的は、上記の欠点を解決し、制御基板を交換しても保存情報を引継げる印刷装置を提供することにある。
【０００５】
【課題を解決するための手段】
上記問題を解決するために本発明は、制御基板上に第一の書換え可能な不揮発性記憶手段を備えた印刷装置において、操作パネル上の第二の書換え可能な不揮発性記憶手段と、前記第一、第二の書換え可能な不揮発性記憶手段の記憶内容を比較し内容の相違を判断する手段と、記憶内容が相違した場合にどちらの記憶内容を有効とするかを選択する手段とを設けたことを特徴とする。また、操作パネル単体で前記第二の書換え可能な不揮発性記憶手段に格納されている保存情報を表示する手段を設けたことを特徴とする。
【０００６】
【発明の実施の形態】
以下本発明を、ドットラインプリンタへの実施例を図１と図２を参照して説明する。なお、図２において図３と同一部分は同一符号で示してある。
【０００７】
図２は本発明実施例の概略構成図である。１は印刷機構部、１０は制御基板、２０は操作パネルである。制御基板１０には印刷装置全体の制御を行なうマイコン１１が搭載されている。また、保存情報（印刷量カウント値、エラーの履歴、ユーザが選択した設定値、工場出荷時に調整した補正値）を格納するための書換え可能な不揮発性記憶手段であるフラッシュメモリ１２を搭載している。
【０００８】
マイコン１１は、ユーザー設定変更時、印刷量カウンタのカウントアップ時、電源切断時には、制御基板のフラッシュメモリ１２と操作パネル２０のワンチップマイコン内蔵フラッシュメモリ２２に同一の保存情報を上書きする処理を行なっている。操作パネル２０は制御基板１０と双方向シリアルＩ／Ｆにより接続され、制御基板から送信されるデータによりＬＣＤ表示器２３にメッセージを表示する。また操作パネル上のスイッチが押下された場合には、押下されたスイッチデータを制御基板へ送信する。操作パネル２０には、書換え可能な不揮発性記憶手段であるフラッシュメモリ２２を内蔵したワンチップマイコン２１が搭載されており、保存情報の格納、表示器へのメッセージ表示、スイッチ押下のチェック、制御基板との通信処理を行なっている。
【０００９】
図１は本発明実施例の電源投入時における保存情報チェック処理のフローチャートである。電源投入後、制御基板のマイコンが起動し、先ずマイコン自身の動作チェック、メモリチェックを行なう。この時点で操作パネルのワンチップマイコンは、自己診断を終えて通信可能状態となっている。その後、制御基板のフラッシュメモリに格納されている保存情報と操作パネルのワンチップマイコンに格納されている保存情報をそれぞれ読み出して比較を行なう。内容が一致すれば保存情報チェック処理は終了し、他のチェック処理に進む。内容が一致しない場合には、操作パネルの表示器にメモリエラーを表示する。ここで、特別のスイッチ操作を行なうと、有効とする保存情報を選択する表示になる。制御基板を交換した場合には、スイッチ操作により、操作パネル上の保存情報を有効とし、制御基板上の保存情報に上書きすることで、交換前の制御基板の保存情報が交換後の制御基板に引継がれる。
【００１０】
また、操作パネルを交換した場合には上書きせず処理を抜ければ、次に行なわれる保存情報更新処理で制御基板の保存情報が操作パネル上の保存情報に上書きされる。
【００１１】
本実施例の操作パネル２０は、シリアルＩ／Ｆケーブル２４をはずした状態で電源投入すると、操作パネルのワンチップマイコン２１が通信エラーを検出し、それを契機に再起動する。再起動後は、単体で保存情報の表示を行なうモードになる。
【００１２】
【発明の効果】
以上説明したように本発明によれば、保存情報を二ヶ所に格納しているので、制御基板を交換しても保存情報を引継げる印刷装置を提供することができる。そして、二ヶ所に格納した保存情報の内容が一致することを確認しているので、信頼性の高い印刷装置を提供することができる。
【００１３】
また、制御基板が故障して、操作パネルにメッセージを表示できない状態でも、操作パネルに保存情報が格納してあるので、操作パネルを単体で起動することで格納されている保存情報を確認することができる。
【図面の簡単な説明】
【図１】本発明の実施例の概略構成を示す構成図である。
【図２】本発明の実施例における電源投入時における保存情報チェック処理を示すフローチャートである。
【図３】従来技術の印刷装置の概略構成を示す構成図である。
【符号の説明】
１は印刷機構部、１０は制御基板、１１はマイコン、１２はフラッシュメモリ、２０は操作パネル、２１はワンチップマイコン、２２はワンチップマイコン内蔵フラッシュメモリ、２３はＬＣＤ表示器、２４はシリアルＩ／Ｆケーブルである。
【図１】
2004082379.tif 000003
【図２】
2004082379.tif 000004
【図３】
2004082379.tif 000005